(57)【要約】【課題】よりＣＯ２排出量の少ない商品の購入を促進するための情報やサービスを提供できるようにする。【解決手段】売上データ処理装置１によれば、記憶部１４のＰＬＵファイル１４ｇには、商品毎に、ＣＯ２排出量及び同一商品分類の商品群におけるＣＯ２排出量の少ない順位を示すＣＯ２ランクが記憶されており、ＣＰＵ１０は、売上登録された商品と同一商品分類であって、売上登録された商品よりＣＯ２ランクの高い商品の情報をＰＬＵファイル１４ｇから抽出し、抽出された商品の情報をお奨めエコ商品として出力する。【選択図】図２０
2011048715.tif 000002
【特許請求の範囲】
【請求項１】
商品毎に、その商品に係るＣＯ２排出量及び同一商品分類の商品群におけるＣＯ２排出量の少ない順位を示すＣＯ２ランクを記憶する記憶手段と、
売上登録された商品と同一商品分類であって前記売上登録された商品よりＣＯ２ランクの高い商品の情報を前記記憶手段から抽出する制御手段と、
前記抽出された商品の情報を出力するための出力手段と、
を備える売上データ処理装置。
【請求項２】
前記出力手段は、前記抽出された商品の情報をレシート用紙に印刷出力する印刷手段である請求項１に記載の売上データ処理装置。
【請求項３】
前記出力手段は、前記抽出された商品の情報を表示出力する表示手段である請求項１に記載の売上データ処理装置。
【請求項４】
前記出力手段は、前記抽出された商品の情報を音声出力する音声出力手段である請求項１に記載の売上データ処理装置。
【請求項５】
前記制御手段は、前記売上登録された各商品のＣＯ２排出量及びＣＯ２ランクを前記記憶手段から抽出して前記印刷手段によりレシート用紙に印刷させる請求項２に記載の売上データ処理装置。
【請求項６】
前記制御手段は、前記売上登録された全商品のＣＯ２排出量の合計を算出し、前記印刷手段によりレシート用紙に印刷させる請求項２に記載の売上データ処理装置。
【請求項７】
前記記憶手段は、商品毎に、更に同一商品分類の商品群における売上個数の順位を示す人気ランクを記憶し、
前記制御手段は、前記売上登録された各商品及び前記抽出された各商品の人気ランクを前記記憶手段から抽出し、前記印刷手段によりレシート用紙に印刷させる請求項２に記載の売上データ処理装置。
【請求項８】
前記制御手段は、前記売上登録された全商品のＣＯ２ランクが予め定められた基準を満たす場合は、前記売上登録された商品の合計金額に応じたクーポンを前記印刷手段によりレシート用紙に印刷させる請求項２に記載の売上データ処理装置。
【請求項９】
顧客の携帯端末と無線通信を行う通信手段備え、
前記制御手段は、前記売上登録された全商品のＣＯ２ランクが予め定められた基準を満たす場合は、前記売上登録された商品の合計金額に応じたクーポンを前記通信手段により前記顧客の携帯端末に送信させる請求項１〜８の何れか一項に記載の売上データ処理装置。
【請求項１０】
カードリーダライタを備え、
前記制御手段は、前記売上登録された全商品のＣＯ２ランクが予め定められた基準を満たす場合は、前記売上登録された商品の合計金額に応じたポイントを前記カードリーダライタによりポイントカードに書き込ませる請求項１〜８の何れか一項に記載の売上データ処理装置。
【請求項１１】
前記制御手段は、前記記憶手段に記憶された全商品の日次又は月次の売上に対するＣＯ２排出量を集計し、前記記憶手段に記憶させる請求項１〜１０の何れか一項に記載の売上データ処理装置。
【請求項１２】
前記制御手段は、ＣＯ２排出量を商品毎に集計し、前記記憶手段に記憶させる請求項１〜１１の何れか一項に記載の売上データ処理装置。
【請求項１３】
コンピュータを、
商品毎に、その商品に係るＣＯ２排出量及び同一商品分類の商品群におけるＣＯ２排出量の少ない順位を示すＣＯ２ランクを記憶する記憶手段、
売上登録された商品と同一商品分類であって前記売上登録された商品よりＣＯ２ランクの高い商品の情報を前記記憶手段から抽出する制御手段、
前記抽出された商品の情報を出力するための出力手段、 
として機能させるためのプログラム。
【発明の詳細な説明】
【技術分野】
【０００１】
本発明は、売上データ処理装置及びプログラムに関する。
【背景技術】
【０００２】
近年、二酸化炭素（ＣＯ２）の排出を抑えるため、店舗等において消費者にエコバックを使用させる等の取り組みがなされている。
【０００３】
例えば、特許文献１には、消費者がエコバックを使用することで、レジ袋を使用しなかったことによるＣＯ２排出量に相当する価値を有するポイント算出して消費者毎に記憶し、消費者端末からの要求に応じて、消費者が取得したポイント数に応じた景品を提供するように企業に指示する情報処理装置が記載されている。
【０００４】
また、二酸化炭素排出を削減するための取り組みの一環として、商品の採掘や栽培、製造、加工、包装、輸送、購買、消費、そして廃棄にいたるまでのそれぞれの段階で排出される二酸化炭素の総合計を重量で表して商品に表示する、所謂「カーボンフットプリント（炭素の足跡）」が導入されつつある。図２７は、カーボンフットプリントの一例を示す図である。カーボンフットプリントは、図２７に示すＰ１、Ｐ２のように、各商品のパッケージに表示されるので、消費者は、自己の購入する商品のＣＯ２排出量を認識し、商品の選択に役立てることができる。
【先行技術文献】
【特許文献】
【０００５】
【特許文献１】特許第４１２７８４５号公報
【発明の概要】
【発明が解決しようとする課題】
【０００６】
しかしながら、消費者がよりＣＯ２排出量の少ない商品を選択しようとした場合、従来、各商品のパッケージのカーボンフットプリントを見比べるしかなく、煩雑であった。また、消費者がよりＣＯ２排出量の少ない商品を購入してＣＯ２排出量の削減努力、貢献を行っても、何の評価、特典も得ることができなかった。そのため、消費者がよりＣＯ２排出量の少ない商品を購入することをあきらめてしまうことがあった。
更に、消費者が自分の購入した商品全体のＣＯ２排出量を知るためには、消費者自身でカーボンフットプリントのＣＯ２排出量の合計を集計しなければならなかった。
【０００７】
また、店舗にとっても、売上商品のＣＯ２排出量を把握する手段がなかった。そのため、店舗においてＣＯ２排出量の削減努力を管理することができなかった。
【０００８】
本発明の課題は、よりＣＯ２排出量の少ない商品の購入を促進するための情報やサービスを提供できるようにすることである。
【課題を解決するための手段】
【０００９】
上記課題を解決するため、請求項１に記載の発明の売上データ処理装置は、
商品毎に、その商品に係るＣＯ２排出量及び同一商品分類の商品群におけるＣＯ２排出量の少ない順位を示すＣＯ２ランクを記憶する記憶手段と、
売上登録された商品と同一商品分類であって前記売上登録された商品よりＣＯ２ランクの高い商品の情報を前記記憶手段から抽出する制御手段と、
前記抽出された商品の情報を出力するための出力手段と、
を備える。
【００１０】
請求項２に記載の発明は、請求項１に記載の発明において、
前記出力手段は、前記抽出された商品の情報をレシート用紙に印刷出力する印刷手段である。
【００１１】
請求項３に記載の発明は、請求項１に記載の発明において、
前記出力手段は、前記抽出された商品の情報を表示出力する表示手段である。
【００１２】
請求項４に記載の発明は、請求項１に記載の発明において、
前記出力手段は、前記抽出された商品の情報を音声出力する音声出力手段である。
【００１３】
請求項５に記載の発明は、請求項２に記載の発明において、
前記制御手段は、前記売上登録された各商品のＣＯ２排出量及びＣＯ２ランクを前記記憶手段から抽出して前記印刷手段によりレシート用紙に印刷させる。
【００１４】
請求項６に記載の発明は、請求項２に記載の発明において、
前記制御手段は、前記売上登録された全商品のＣＯ２排出量の合計を算出し、前記印刷手段によりレシート用紙に印刷させる。
【００１５】
請求項７に記載の発明は、請求項２に記載の発明において、
前記記憶手段は、商品毎に、更に同一商品分類の商品群における売上個数の順位を示す人気ランクを記憶し、
前記制御手段は、前記売上登録された各商品及び前記抽出された各商品の人気ランクを前記記憶手段から抽出し、前記印刷手段によりレシート用紙に印刷させる。
【００１６】
請求項８に記載の発明は、請求項２に記載の発明において、
前記制御手段は、前記売上登録された全商品のＣＯ２ランクが予め定められた基準を満たす場合は、前記売上登録された商品の合計金額に応じたクーポンを前記印刷手段によりレシート用紙に印刷させる。
【００１７】
請求項９に記載の発明は、請求項１〜８の何れか一項に記載の発明において、
顧客の携帯端末と無線通信を行う通信手段を備え、
前記制御手段は、前記売上登録された全商品のＣＯ２ランクが予め定められた基準を満たす場合は、前記売上登録された商品の合計金額に応じたクーポンを前記通信手段により前記顧客の携帯端末に送信させる。
【００１８】
請求項１０に記載の発明は、請求項１〜８の何れか一項に記載の発明において、
カードリーダライタを備え、
前記制御手段は、前記売上登録された全商品のＣＯ２ランクが予め定められた基準を満たす場合は、前記売上登録された商品の合計金額に応じたポイントを前記カードリーダライタによりポイントカードに書き込ませる。
【００１９】
請求項１１に記載の発明は、請求項１〜１０の何れか一項に記載の発明において、
前記制御手段は、前記記憶手段に記憶された全商品の日次又は月次の売上に対するＣＯ２排出量を集計し、前記記憶手段に記憶させる。
【００２０】
請求項１２に記載の発明は、請求項１〜１１の何れか一項に記載の発明において、
前記制御手段は、ＣＯ２排出量を商品毎に集計し、前記記憶手段に記憶させる。
【００２１】
請求項１３に記載の発明のプログラムは、
コンピュータを、
商品毎に、その商品に係るＣＯ２排出量及び同一商品分類の商品群におけるＣＯ２排出量の少ない順位を示すＣＯ２ランクを記憶する記憶手段、
売上登録された商品と同一商品分類であって前記売上登録された商品よりＣＯ２ランクの高い商品の情報を前記記憶手段から抽出する制御手段、
前記抽出された商品の情報を出力するための出力手段、
として機能させる。
【発明の効果】
【００２２】
本発明によれば、よりＣＯ２排出量の少ない商品の購入を促進するための情報やサービスを提供することが可能となる。
【図面の簡単な説明】
【００２３】
【図１】本発明の実施形態における売上データ処理システムの全体構成例を示す図である。
【図２】図１の売上データ処理装置の機能的構成を示すブロック図である。
【図３】実施形態１における図２のＲＡＭの構成例を示す図である。
【図４】図２の記憶部のデータ格納例を示す図である。
【図５】図４のＰＬＵファイルのデータ格納例を示す図である。
【図６】（ａ）は、図５の売上日次集計ファイルのデータ格納例を示す図であり、（ｂ）は、図５の売上月次集計ファイルのデータ格納例を示す図である。
【図７】図１のサーバ装置の機能的構成を示すブロック図である。
【図８】図７の記憶部のデータ格納例を示す図である。
【図９Ａ】図２のＣＰＵにより実行されるレシート印刷処理Ａを示すフローチャートである。
【図９Ｂ】図２のＣＰＵにより実行されるレシート印刷処理Ａを示すフローチャートである。
【図１０】図９Ａ〜図９Ｂに示すレシート印刷処理Ａにおいて印刷されるレシートの一例を示す図である。
【図１１】図２のＣＰＵにより実行される売上データ集計処理を示すフローチャートである。
【図１２】図２のＣＰＵにより実行される売上データ転送処理を示すフローチャートである。
【図１３】図７のＣＰＵにより実行される売上データ登録処理を示すフローチャートである。
【図１４】図７のＣＰＵにより実行される売上データ集計処理を示すフローチャートである。
【図１５】図２のＣＰＵにより実行される月次集計結果登録処理を示すフローチャートである。
【図１６】図７のＣＰＵにより実行される月次集計結果送信処理を示すフローチャートである。
【図１７】実施形態２における図２のＲＡＭの構成例を示す図である。
【図１８Ａ】図２のＣＰＵにより実行されるレシート印刷処理Ｂを示すフローチャートである。
【図１８Ｂ】図２のＣＰＵにより実行されるレシート印刷処理Ｂを示すフローチャートである。
【図１９】図１７のお奨めエコ商品テーブルエリアに格納されるお奨めエコ商品テーブルの一例を示す図である。
【図２０】図１８Ａ〜図１８Ｂに示すレシート印刷処理Ｂにおいて印刷されるレシートの一例を示す図である。
【図２１】実施形態３における図２のＲＡＭの構成例を示す図である。
【図２２Ａ】図２のＣＰＵにより実行されるレシート印刷処理Ｃを示すフローチャートである。
【図２２Ｂ】図２のＣＰＵにより実行されるレシート印刷処理Ｃを示すフローチャートである。
【図２３】図２２Ａ〜図２２Ｂに示すレシート印刷処理Ｃにおいて印刷されるレシートの一例を示す図である。
【図２４】実施形態４における図２のＲＡＭの構成例を示す図である。
【図２５Ａ】図２のＣＰＵにより実行されるレシート印刷処理Ｄを示すフローチャートである。
【図２５Ｂ】図２のＣＰＵにより実行されるレシート印刷処理Ｄを示すフローチャートである。
【図２６】図２５Ａ〜図２５Ｂに示すレシート印刷処理Ｄにおいて印刷されるレシートの一例を示す図である。
【図２７】カーボンフットプリントの一例を示す図である。
【発明を実施するための形態】
【００２４】
以下、添付図面を参照して本発明に係る好適な実施形態を詳細に説明する。なお、本発明は、図示例に限定されるものではない。
【００２５】
［実施形態１］
（売上データ処理システム１００の構成）
図１は、本実施形態に係る売上データ処理システム１００の全体構成を示す図である。
売上データ処理システム１００は、図１に示すように、売上データ処理装置１ａ、１ｂ、・・・１ｎと、サーバ装置２と、が通信ネットワークＮを介してデータ送受信可能に接続されて構成されている。売上データ処理装置１としては、キャッシュレジスタ，電子レジスタ，金銭登録機，ＰＯＳ(Point Of Sales)端末等が含まれる。また、通信ネットワークＮは、専用線や既存の公衆回線、インターネット等を利用して構築された情報通信網である。
なお、売上データ処理装置１ａ、１ｂ、・・・１ｎは同様の構成及び機能を有するため、以下の説明では売上データ処理装置１ａ、１ｂ、・・・１ｎを総称して売上データ処理装置１として説明する。売上データ処理装置１の台数は、特に限定されない。
【００２６】
（売上データ処理装置１の構成）
売上データ処理装置１は、店舗に設置され、顧客の購入商品の登録処理（購入商品の売上個数、売上金額等の登録（売上登録））を行うとともに、購入商品毎のＣＯ２排出量、購入商品全体のＣＯ２排出量の合計等を取得してレシートに印刷する。
【００２７】
図２は、売上データ処理装置１の機能構成を示すブロック図である。図２に示すように、売上データ処理装置１は、ＣＰＵ（Central Processing Unit）１０、入力部１１、表示部１２、ＲＡＭ（Random Access Memory）１３、記憶部１４、通信部１５、印刷部１６、ドロア１７、スキャナ部１８、カードリーダライタ１９、音声出力部１０１等を備えて構成され、各部はバス１０２を介して接続されている。
【００２８】
ＣＰＵ１０は、記憶部１４に記憶されているシステムプログラムを読み出し、ＲＡＭ１３のワークエリアに展開し、該システムプログラムに従って各部を制御する。また、ＣＰＵ１０は、記憶部１４に記憶されているレシート印刷処理プログラム１４ｂ、売上データ集計処理プログラム１４ｃ、売上データ転送処理プログラム１４ｄ、月次集計結果登録処理プログラム１４ｅ、日次集計結果登録処理プログラム１４ｆ等を読み出してワークエリアに展開し、後述するレシート印刷処理Ａ、売上データ集計処理、売上データ転送処理、月次集計結果登録処理、日次集計結果登録処理を始めとする各種処理を実行することにより、制御手段として機能する。
【００２９】
入力部１１は、電源キー、カーソルキー、文字、数字入力キー、売上登録の終了を指示するための小計キー等の各種機能キー等を備えたレジ用のキーボードを含む構成である。入力部１１は、オペレータによる各キーの操作信号をＣＰＵ１０に出力する。
【００３０】
表示部１２は、ＬＣＤ（Liquid Crystal Display）や有機ＥＬ(Electro-Luminescence)ディスプレイ等により構成される。表示部１２には、ＣＰＵ１０から入力される表示信号の指示に従って、各種画面を表示する。
【００３１】
ＲＡＭ１３は、ＣＰＵ１０により記憶部１４から読み出されたシステムプログラムや処理プログラム、入力データ、出力データ、パラメータ等を一時的に格納する。
図３は、ＲＡＭ１３の構成例を示す図である。図３に示すように、ＲＡＭ１３は、ＰＬＵエリア１３ａ、総合計カウンタエリア１３ｂ、ＣＯ２合計カウンタエリア１３ｃ、ワークエリア１３ｋ、を有している。
ＰＬＵエリア１３ａは、記憶部１４から読み出されたＰＬＵファイル１４ｇのデータを格納するためのエリアである。
総合計カウンタエリア１３ｂは、売上登録された商品の合計金額（即ち、顧客の購入合計金額）の算出に使用されるエリアである。
ＣＯ２合計カウンタエリア１３ｃは、顧客の購入商品のＣＯ２排出量の合計の算出に使用されるエリアである。
【００３２】
記憶部１４は、半導体の不揮発性メモリ等により構成される。記憶部１４は、ＣＰＵ１０で実行されるシステムプログラムや各種処理プログラム、これらのプログラムの実行に必要なデータ等を記憶する。本実施形態において、記憶部１４には、図４に示すように、システムプログラム（レジＯＳという）１４ａ、レシート印刷処理プログラム１４ｂ、売上データ集計処理プログラム１４ｃ、売上データ転送処理プログラム１４ｄ、月次集計結果登録処理プログラム１４ｅ、日次集計結果登録処理プログラム１４ｆ、ＰＬＵファイル１４ｇ、売上日次集計ファイル１４ｈ、売上月次集計ファイル１４ｉ、設定データ１４ｊ等が記憶されている。
【００３３】
ＰＬＵファイル１４ｇは、商品毎に、商品コード、商品名、単価、ＣＯ２排出量、ＣＯ２ランク等の商品情報や、売上個数、売上金額等の売上データを格納するファイルである。図５は、ＰＬＵファイル１４ｇのデータ格納例を示す図である。図５に示すように、ＰＬＵファイル１４ｇは、「商品コード」、「商品分類」、「品名」、「単価」、「売上個数」、「売上金額」、「単品ＣＯ２量」、「売上ＣＯ２量」、「ＣＯ２ランク」、「人気ランク」等の項目が設けられている。「単品ＣＯ２量」は、その商品の原料の採掘や栽培から廃棄に至るまでに排出されるＣＯ２排出量である。「売上ＣＯ２量」は、その商品の売上に対するＣＯ２排出量であり、「単品ＣＯ２量」に「売上個数」を乗算したものである。「ＣＯ２ランク」は、同一の「商品分類」の商品群の中で単品ＣＯ２量の少ない順にランク付けしたときの、その商品の順位である。「人気ランク」は、同一の「商品分類」の商品群の中で売上個数の多い順にランク付けしたときの、その商品の順位である。
【００３４】
売上日次集計ファイル１４ｈは、店舗の日次合計（日次売上合計及び日次売上ＣＯ２量合計）を格納するためのファイルである。図６（ａ）は、売上日次集計ファイル１４ｈのデータ格納例を示す図である。図６（ａ）に示すように、売上日次集計ファイル１４ｈには、その日の業務終了時点でのＰＬＵファイル１４ｇのデータ（売上データ）と、日次合計と、が格納される。なお、記憶部１４には、営業日毎の売上日次集計ファイル１４ｈが記憶されている。
売上月次集計ファイル１４ｉは、店舗の月次合計（月次売上合計及び月次売上ＣＯ２量合計）を格納するためのファイルである。図６（ｂ）は、売上月次集計ファイル１４ｉのデータ格納例を示す図である。図６（ｂ）に示すように、売上月次集計ファイル１４ｉには、その月の各日のＰＬＵファイル１４ｇを集計したデータと、月次合計と、が格納される。なお、記憶部１４には、月毎の売上月次集計ファイル１４ｉが記憶されている。
設定データ１４ｊは、売上データ処理装置１に関する各種設定情報である。設定データ１４ｊには、例えば、店舗コード、音声出力を行うか否かの設定情報や、エコクーポン率及びＣＯ２ポイント率等の設定情報が含まれる。
【００３５】
通信部１５は、モデム、ルータ、ネットワークカード等により構成される。通信部１５は、通信ネットワークＮを介して接続されたサーバ装置２等の外部装置とのデータ送受信を行う。
【００３６】
印刷部１６は、例えば、サーマルプリンタ(感熱式プリンタ)であり、レシート用、ジャーナル用のロール紙(感熱紙)を有し、ＣＰＵ１０から入力される指示信号に従って、ロール紙に対して金額や売上データ等をプリントアウトする。
【００３７】
ドロア１７は、硬貨や紙幣等の現金を収納する引出しである。ドロア１７は、ＣＰＵ１０の指示により、引出しが開けられる。
【００３８】
スキャナ部１８は、商品に設けられたバーコードを読み取るバーコードリーダやバーコードスキャナ等を備える。
【００３９】
カードリーダライタ１９は、接触型リーダライタ１９ａ、非接触型リーダライタ１９ｂ（何れも図示せず）を備えて構成されている。
接触型リーダライタ１９ａは、接触型のＩＣチップが内蔵された記録媒体であるＩＣカードを接触させるための接触端子を有し、ＩＣカードが接触端子に接触したときに、ＩＣカードに記憶されたデータの読み出しやデータの書き込みなどを行う。本実施形態において、接触型リーダライタ１９ａは、ＩＣチップが内蔵されたＩＣカードへのポイント等のデータの読み書きを行う。
非接触型リーダライタ１９ｂは、非接触型のＩＣチップが内蔵された記録媒体が読み書き可能な距離内にある場合に、当該記録媒体と無線接続し、無線通信によって当該記録媒体に記録されたデータの読み出しや書き込みを行う通信手段である。この記録媒体としては、非接触型のＩＣチップが内蔵された携帯端末(携帯電話、ＰＤＡ等)がある。本実施形態において、非接触型リーダライタ１９ｂは、ＩＣチップが内蔵された携帯端末へのポイントやクーポン等のデータの読み書きを行う。
なお、本実施形態において、商品の購入に対するポイントを記録するためのＩＣカード及び携帯端末をポイントカードＣと称する。
【００４０】
音声出力部１０１は、Ｄ／Ａ変換器、増幅器、スピーカ等を備えて構成される。音声出力部１０１は、ＣＰＵ１０から指示された音声データをＤ／Ａ変換器によりアナログ信号に変換してスピーカにより音声出力する。
【００４１】
（サーバ装置２の構成）
サーバ装置２は、各店舗に設置されている売上データ処理装置１の売上データを集計するサーバ装置である。
図７は、サーバ装置２の機能的構成を示すブロック図である。図７に示すように、サーバ装置２は、ＣＰＵ２０、入力部２１、表示部２２、ＲＡＭ２３、記憶部２４、通信部２５等を備えて構成され、各部はバス２６を介して接続されている。
【００４２】
ＣＰＵ２０は、記憶部２４に記憶されているシステムプログラムを読み出し、ＲＡＭ２３のワークエリアに展開し、該システムプログラムに従って各部を制御する。また、ＣＰＵ２０は、記憶部２４に記憶されている売上データ集計処理プログラム２４ｂ、売上データ登録処理プログラム２４ｃ、月次集計結果送信処理プログラム２４ｄ、日次集計結果送信処理プログラム２４ｅ等を始めとする各種処理プログラムを読み出してワークエリアに展開し、後述する売上データ集計処理、売上データ登録処理、月次集計結果送信処理、日次集計結果送信処理等を始めとする各種処理を実行する。
【００４３】
入力部２１は、カーソルキー、文字、数字入力キー及び各種機能キー等を備えたキーボードを含む構成である。入力部２１は、操作者による各キーの押下入力を受け付けてその操作情報をＣＰＵ２０に出力する。また、入力部２１は、マウス等のポインティングデバイスを含み、位置入力を受け付けて操作情報としてＣＰＵ２０に出力することとしてもよい。
【００４４】
表示部２２は、ＬＣＤ等により構成される。表示部２２には、ＣＰＵ２０から入力される表示信号の指示に従って、各種画面を表示する。
【００４５】
ＲＡＭ２３は、ＣＰＵ２０により記憶部２４から読み出されたシステムプログラムや処理プログラム、入力データ、出力データ、パラメータ等を一時的に格納するワークエリアを有する。
【００４６】
記憶部２４は、ＨＤＤ（Hard Disc Drive）等により構成される。記憶部２４は、ＣＰＵ２０で実行されるシステムプログラムや各種処理プログラム、これらのプログラムの実行に必要なデータ等を記憶する。
【００４７】
本実施形態において、記憶部２４には、図８に示すように、システムプログラム（サーバＯＳという）２４ａ、売上データ集計処理プログラム２４ｂ、売上データ登録処理プログラム２４ｃ、月次集計結果送信処理プログラム２４ｄ、日次集計結果送信処理プログラム２４ｅ、売上日次集計ファイル２４ｆ、売上月次集計ファイル２４ｇ等が記憶されている。
売上日次集計ファイル２４ｆは、図６（ａ）に示す売上日次集計ファイル１４ｈと同様の構造を有するファイルである。記憶部２４には、売上データ処理装置１が設置された各店舗の営業日毎の売上日次集計ファイル２４ｆが記憶されている。
売上月次集計ファイル２４ｇは、図６（ｂ）に示す売上月次集計ファイル１４ｉと同様の構造を有するファイルである。記憶部２４には、売上データ処理装置１が設置された各店舗の月毎の売上月次集計ファイル２４ｇが記憶されている。
【００４８】
通信部２５は、モデム、ルータ、ネットワークカード等により構成される。通信部２５は、通信ネットワークＮ上の売上データ処理装置１等の外部装置との間で情報を送受信する。
【００４９】
（売上データ処理システム１００の動作）
次に、売上データ処理システム１００の動作について説明する。
【００５０】
（レシート印刷処理Ａ）
まず、売上データ処理装置１において、顧客の商品購入時に実行されるレシート印刷処理Ａについて説明する。
図９Ａ〜図９Ｂは、売上データ処理装置１において実行されるレシート印刷処理Ａを示すフローチャートである。レシート印刷処理Ａは、ＣＰＵ１０と記憶部１４に記憶されているレシート印刷処理プログラム１４ｂとの協働により実行される。
【００５１】
スキャナ部１８により顧客の購入商品のバーコードが読み取られると（ステップＳ１）、読み取られたバーコードが商品コードに変換される（ステップＳ２）。
【００５２】
次いで、ＰＬＵエリア１３ａにＰＬＵファイル１４ｇが読み出され、読み出されたＰＬＵファイル１４ｇからステップＳ２で変換された商品コードと「商品コード」が一致するレコードが検索される（ステップＳ３）。そして、検索されたレコードの「品名」、「単価」が抽出され、印刷部１６によりレシート用紙に印刷される（ステップＳ４）。
【００５３】
次いで、入力部１１により売上個数が入力されると（ステップＳ５）、入力された売上個数が印刷部１６によりレシート用紙に印刷される。また、入力された売上個数がステップＳ３で検索されたレコードの「売上個数」に加算される（ステップＳ６）。
【００５４】
次いで、単品売上合計（単価×売上個数）が算出され、印刷部１６によりレシート用紙に印刷される（ステップＳ７）。算出された単品売上合計は、総合計カウンタエリア１３ｂに加算されるとともに、ＰＬＵエリア１３ａに読み出されているＰＬＵファイル１４ｇの、ステップＳ３で検索されたレコードの「売上金額」に加算される（ステップＳ８）。
【００５５】
次いで、ステップＳ３で検索されたレコードの「単品ＣＯ２量」が抽出されて印刷部１６によりレシート用紙に印刷される（ステップＳ９）。また、今回の売上ＣＯ２量（単品ＣＯ２量×売上個数）が算出され、印刷部１６によりレシート用紙に印刷される（ステップＳ１０）。算出された売上ＣＯ２量は、ＣＯ２合計カウンタエリア１３ｃに加算されるとともに、ＰＬＵエリア１３ａに読み出されているＰＬＵファイル１４ｇの、ステップＳ３で検索されたレコードの「売上ＣＯ２量」に加算される（ステップＳ１１）。
【００５６】
次いで、入力部１１の小計キーが押下されたか否かが判断され、押下されていないと判断されると（ステップＳ１２；ＮＯ）、処理はステップＳ１に戻り、次の購入商品についての売上登録が行われる。
【００５７】
一方、入力部１１の小計キーが押下されたと判断されると（ステップＳ１２；ＹＥＳ）、総合計欄の見出し及び総合計カウンタエリア１３ｂに格納されている内容が、印刷部１６によりレシート用紙上に印刷される（ステップＳ１３）。また、ＣＯ２合計欄の見出し及びＣＯ２合計カウンタエリア１３ｃの内容が印刷部１６によりレシート上に印刷される（ステップＳ１４）。
【００５８】
次いで、カードリーダライタ１９によりポイントカードＣが検出されたか否かが判断され、ポイントカードが検出されたと判断されると（ステップＳ１５；ＹＥＳ）、ポイントカードＣから累計ポイントが読み取られる（ステップＳ１６）。次いで、顧客の今回の購入合計金額、即ち、今回売上登録された商品の合計金額に応じたポイント（今回ポイント）が算出され、読み取られた累計ポイントに加算される（ステップＳ１７）。そして、今回ポイントが加算された累計ポイントがカードリーダライタ１９によりポイントカードＣに書き込まれ（ステップＳ１８）、処理はステップＳ１９に移行する。一方、ステップＳ１５において、カードリーダライタ１９によりポイントカードが検出されていないと判断されると（ステップＳ１５；ＮＯ）、処理はステップＳ１９に移行する。
【００５９】
ステップＳ１９においては、記憶部１４に記憶されている設定データ１４ｊが参照され、音声出力を行う設定がなされているか否かが判断される。音声出力を行う設定がなされていると判断されると（ステップＳ１９；ＹＥＳ）、合計金額、今回の売上ＣＯ２量合計、累計ポイント等を音声出力するための音声データが作成され（ステップＳ２０）、音声出力部１０１により出力され（ステップＳ２１）、処理はステップＳ２２に移行する。一方、音声出力を行う設定がなされていないと判断されると（ステップＳ１９；ＮＯ）、処理はステップＳ２２に移行する。
【００６０】
ステップＳ２２においては、総合計カウンタエリア１３ｂ及びＣＯ２合計カウンタエリア１３ｃがクリアされる（ステップＳ２２）。また、ＰＬＵエリア１３ａ内に読み出されているＰＬＵファイル１４ｇの内容により記憶部１４のＰＬＵファイル１４ｇが更新され（ステップＳ２３）、レシート印刷処理Ａは終了する。
【００６１】
図１０は、上述のレシート印刷処理Ａにおいて印刷されるレシートＲ１の一例を示す図である。図１０に示すように、レシートＲ１には、売上登録された、即ち、顧客が今回購入した各商品のＣＯ２排出量（商品単体のＣＯ２排出量、及び購入された個数分（売上登録された個数分）のＣＯ２排出量の合計）が印刷されている（図１０のＤ１）。また、顧客が今回購入した全商品のＣＯ２排出量の合計が印刷されている（図１０のＤ２）。このように、顧客が購入した各商品のＣＯ２排出量及び購入した全商品のＣＯ２排出量の合計がレシートに印刷されるので、顧客は、自身が購入した各商品のＣＯ２排出量及び今回の購入全体のＣＯ２排出量を容易に認識することが可能となる。
【００６２】
（売上データ集計処理）
次に、売上データ処理装置１において、一日の業務終了時に行われる売上データ集計処理について説明する。
図１１は、売上データ処理装置１において実行される売上データ集計処理を示すフローチャートである。売上データ集計処理は、ＣＰＵ１０と記憶部１４に記憶されている売上データ集計処理プログラム１４ｃとの協働により実行される。
【００６３】
まず、レジ精算処理が実行される（ステップＳ３１）。レジ精算処理には、例えば、業務終了時のＰＬＵファイル１４ｇのデータ（１日の売上データ）をＰＬＵエリア１３ａに読み出し、読み出した売上データの合計器（ＰＬＵファイル１４ｇの各商品の売上個数、売上金額、売上ＣＯ２量）のデータを印刷部１６によりジャーナル用紙に印字する処理、記憶部１４のＰＬＵファイル１４ｇにおけるこれらの合計器のデータをクリアする処理等が含まれる。
【００６４】
次いで、ＰＬＵエリア１３ａに読み出された売上データが売上日次集計ファイル１４ｈに書き込まれるとともに（ステップＳ３２）、売上データに基づいて日次売上合計及び日次売上ＣＯ２量合計が集計され、売上日次集計ファイル１４ｈに書き込まれる（ステップＳ３３）。具体的には、売上データの全商品の「売上金額」の合計が算出されることにより日次売上合計が算出され、全商品の「売上ＣＯ２量」の合計が算出されることにより日次売上ＣＯ２量合計が算出され、売上日次集計ファイル１４ｈに書き込まれる。
【００６５】
次いで、売上日次集計ファイル１４ｈのレコードが「商品分類」別に売上個数の降順にソートされ（ステップＳ３４）、商品分類別に、降順ソート順に「人気ランク」の順位付けが行われる（ステップＳ３５）。即ち、商品分類別に、売上個数の多い商品から順に、人気ランクが１、２、・・・と順位付けされる。
【００６６】
そして、売上日次集計ファイル１４ｈが更新され、記憶部１４に記憶される（ステップＳ３６）。
【００６７】
また、ＰＬＵエリア１３ａに読み出された売上データの売上個数、売上金額、売上ＣＯ２量が記憶部１４に記憶されている当月の売上月次集計ファイル１４ｉの売上個数、売上金額、売上ＣＯ２量のデータに加算されるとともに（ステップＳ３７）、月次売上合計及び月次売上ＣＯ２量合計が集計され、売上月次集計ファイル１４ｉに書き込まれる（ステップＳ３８）。具体的には、売上月次集計ファイル１４ｉの「売上金額」の合計が算出されることにより月次売上合計が算出され、「売上ＣＯ２量」の合計が算出されることにより月次売上ＣＯ２合計が算出される。
【００６８】
次いで、売上月次集計ファイル１４ｉのレコードが「商品分類」別に売上個数の降順にソートされ（ステップＳ３９）、商品分類別に、降順ソート順に「人気ランク」の順位付けが行われる（ステップＳ４０）。即ち、商品分類別に、売上個数の多い商品から順に、人気ランクが１、２、・・・と順位付けされる。
【００６９】
順位付けが終了すると、記憶部１４の売上月次集計ファイル１４ｉが更新され、記憶される（ステップＳ４１）。
【００７０】
次いで、記憶部１４のＰＬＵファイル１４ｇの各レコードについて、「商品コード」が一致するレコードが売上月次集計ファイル１４ｉから検索され、検索されたレコードの「人気ランク」の内容が「人気ランク」に登録される（ステップＳ４２）。そして、売上データ集計処理は終了する。
【００７１】
上記売上データ集計処理により、売上データ処理装置１においては、商品分類別の人気ランクを取得することができる。また、店舗の日次及び月次の売上によるＣＯ２排出量の合計、日次及び月次の商品毎のＣＯ２排出量合計を集計し、記憶部１４に記憶しておくことができる。なお、各商品の人気ランクは、売上日次集計ファイル１４ｈから取得することとしてもよい。
【００７２】
上記売上データ集計処理は、サーバ装置２において行う構成としてもよい。また、売上データ集計処理を売上データ処理装置１で行うか、サーバ装置２で行うかを入力部１１により設定できるようにしてもよい。
【００７３】
（売上データ集計処理の変形例）
以下、売上データ集計処理をサーバ装置２において行う場合の売上データ処理装置１及びサーバ装置２の動作について説明する。
【００７４】
まず、売上データ処理装置１からサーバ装置２に売上データを送信し、サーバ装置２において集計を行うまでの動作について説明する。
図１２は、売上データ処理装置１において実行される売上データ転送処理を示すフローチャートである。売上データ転送処理は、一日の業務終了時に入力部１１からの指示に応じて実行される処理であり、ＣＰＵ１０と記憶部１４に記憶されている売上データ転送処理プログラム１４ｄとの協働により実行される。
【００７５】
まず、売上データ処理装置１において、レジ精算処理が実行される（ステップＳ５１）。レジ精算処理は、ステップＳ３１と同様であるので説明を省略する。
【００７６】
次いで、通信部１５によりサーバ装置２に対して売上データ転送開始通知が送信され（ステップＳ５２）、一日の売上データ、即ち、ＰＬＵエリア１３ａに読み出されているＰＬＵファイル１４ｇのデータがサーバ装置２に送信される（ステップＳ５３）。なお、売上データ転送開始通知及び売上データが送信される際には、店舗を識別するための店舗コード等が併せて送信される。
【００７７】
売上データの転送が終了すると、通信部１５によりサーバ装置２に対して売上データ転送終了通知が送信され（ステップＳ５４）、売上データ転送処理は終了する。
【００７８】
図１３は、サーバ装置２において実行される売上データ登録処理を示すフローチャートである。売上データ登録処理は、ＣＰＵ２０と記憶部２４に記憶されている売上データ登録処理プログラム２４ｃとの協働により実行される。
【００７９】
まず、通信部２５によるデータ受信待ち状態となる（ステップＳ６１）。次いで、通信部２５により売上データ転送開始通知が受信されたか否かが判断され、売上データ転送開始通知が受信されていないと判断されると（ステップＳ６２；ＮＯ）、処理はステップＳ６１に戻る。売上データ転送開始通知が受信されたと判断されると（ステップＳ６２；ＹＥＳ）、売上データ処理装置１から送信された売上データが通信部２５により受信され（ステップＳ６３）、受信された売上データが売上日次集計ファイル２４ｆに書き込まれる（ステップＳ６４）。
【００８０】
次いで、通信部２５により売上データ処理装置１から売上データ転送終了通知が受信されたか否かが判断され（ステップＳ６５）、売上データ転送終了通知が受信されていないと判断されると（ステップＳ６５；ＮＯ）、処理はステップＳ６３に戻る。売上データ転送終了通知が受信されたと判断されると（ステップＳ６５；ＹＥＳ）、売上データ集計処理が実行される（ステップＳ６６）。
【００８１】
図１４は、サーバ装置２において実行される売上データ集計処理を示すフローチャートである。売上データ集計処理は、ＣＰＵ２０と記憶部２４に記憶されている売上データ集計処理プログラム２４ｂとの協働により実行される。
【００８２】
まず、ステップＳ６４で売上日次集計ファイル２４ｆに書き込まれた売上データに基づいて、日次売上合計及び日次売上ＣＯ２量合計が集計され、売上日次集計ファイル２４ｆに書き込まれる（ステップＳ６０１）。具体的には、売上日次集計ファイル２４ｆの「売上金額」の合計が算出されることにより日次売上合計が算出され、「売上ＣＯ２量」の合計が算出されることにより日次売上ＣＯ２合計が算出される。そして、売上日次集計ファイル２４ｆに書き込まれる。
【００８３】
次いで、売上日次集計ファイル２４ｆのレコードが「商品分類」別に売上個数の降順にソートされ（ステップＳ６０２）、商品分類別に、降順ソート順に「人気ランク」の順位付けが行われる（ステップＳ６０３）。即ち、商品分類別に、売上個数の多い商品から順に、人気ランクが１、２、・・・と順位付けされる。
【００８４】
そして、売上日次集計ファイル２４ｆが更新され、記憶部２４に記憶される（ステップＳ６０４）。
【００８５】
また、受信された売上データの売上個数、売上金額、売上ＣＯ２量が記憶部２４の当月の売上月次集計ファイル２４ｇの売上個数、売上金額、売上ＣＯ２量のデータに加算されるとともに（ステップＳ６０５）、月次売上合計及び月次売上ＣＯ２量合計が集計され、売上月次集計ファイル２４ｇに書き込まれる（ステップＳ６０６）。具体的には、売上月次集計ファイル２４ｇの「売上金額」の合計が算出されることにより月次売上合計が算出され、「売上ＣＯ２量」の合計が算出されることにより月次売上ＣＯ２量合計が算出される。なお、月初等、記憶部２４に当月の売上月次集計ファイル２４ｇが存在しない場合は、新たに売上月次集計ファイル２４ｇが作成され、ステップＳ６０５、Ｓ６０６の処理が実行される。
【００８６】
次いで、売上月次集計ファイル２４ｇのレコードが「商品分類」別に売上個数の降順にソートされ（ステップＳ６０７）、商品分類別に、降順ソート順に「人気ランク」の順位付けが行われる（ステップＳ６０８）。即ち、商品分類別に、売上個数の多い商品から順に、人気ランクが１、２、・・・と順位付けされる。
【００８７】
そして、売上月次集計ファイル２４ｇが更新されて記憶部２４に記憶され（ステップＳ６０９）、売上データ集計処理は終了する。
【００８８】
次に、サーバ装置２で集計された集計結果を売上データ処理装置１で取得する動作について説明する。
図１５は、売上データ処理装置１において実行される月次集計結果登録処理を示すフローチャートである。月次集計結果登録処理は、入力部１１からの指示に応じて、又は、売上データ転送処理が終了してから所定時間経過後等に実行される処理であり、ＣＰＵ１０と記憶部１４に記憶されている月次集計結果登録処理プログラム１４ｅとの協働により実行される。
【００８９】
まず、通信部１５によりサーバ装置２に対して月次集計結果受信開始通知が送信される（ステップＳ７１）。なお、月次集計結果受信開始通知が送信される際には、店舗を識別するための店舗コード等が併せて送信される。
【００９０】
通信部１５によりサーバ装置２からの売上月次集計ファイル２４ｇのデータ（レコード）が受信されると（ステップＳ７２）、ＰＬＵファイル１４ｇにおいて、受信したデータと「商品コード」が一致するレコードの「人気ランク」に、受信したデータの「人気ランク」が登録される（ステップＳ７３）。
【００９１】
次いで、通信部１５によりサーバ装置２からデータ転送終了通知が受信されたか否かが判断され（ステップＳ７４）、受信されていないと判断されると（ステップＳ７４；ＮＯ）、処理はステップＳ７２に戻る。通信部１５によりサーバ装置２からデータ転送終了通知が受信されたと判断されると（ステップＳ７４；ＹＥＳ）、受信されたデータが売上月次集計ファイル１４ｉとして記憶部１４に登録され（すでに当月の売上月次集計ファイル１４ｉが記憶されているときは、受信されたデータにより当月の売上月次集計ファイル１４ｉが更新され）、月次集計結果登録処理は終了する。
【００９２】
図１６は、サーバ装置２において実行される月次集計結果送信処理を示すフローチャートである。月次集計結果送信処理は、ＣＰＵ２０と記憶部２４に記憶されている月次集計結果送信処理プログラム２４ｄとの協働により実行される。
【００９３】
まず、通信部２５によるデータ受信待ち状態となる（ステップＳ８１）。次いで、通信部２５により月次売上集計結果受信開始通知が受信されたか否かが判断される（ステップＳ８２）。月次売上集計結果受信開始通知が受信されていないと判断されると（ステップＳ８２；ＹＥＳ）、処理はステップＳ８１に戻る。月次売上集計結果受信開始通知が受信されたと判断されると（ステップＳ８２；ＹＥＳ）、記憶部２４に記憶されている、送信元店舗の当月の売上月次集計ファイル２４ｇが読み出され、通信部２５により送信元の売上データ処理装置１に送信される（ステップＳ８３）。送信が終了すると、通信部２５によりデータ転送終了通知が売上データ処理装置１に送信され（ステップＳ８４）、月次集計結果送信処理は終了する。
【００９４】
日次集計結果についても、上述の月次集計結果と同様の処理により、売上データ処理装置１に登録される。即ち、売上データ処理装置１において、日次集計結果登録処理が実行され、通信部１５によりサーバ装置２に対して日次集計結果受信開始通知が送信される。サーバ装置２においては、日次集計結果送信処理が実行され、売上データ処理装置１から日次集計結果受信開始通知が受信されると、売上日次集計ファイル２４ｆが売上データ処理装置１に対して送信される。売上データ処理装置１においては、サーバ装置２から売上日次集計ファイル２４ｆのデータが受信されると、受信されたデータが売上日次集計ファイル１４ｈとして記憶部１４に登録される。
【００９５】
なお、本実施形態においては、売上データ処理装置１において、サーバ装置２から受信した売上月次集計ファイルの「人気ランク」をＰＬＵファイル１４ｇの「人気ランク」に登録することとしたが、売上日次集計ファイルの「人気ランク」をＰＬＵファイル１４ｇの「人気ランク」に登録することとしてもよい。
【００９６】
このように、売上データ処理装置１においては、店舗における日次、月次のＣＯ２排出量や商品毎のＣＯ２排出量、及び商品分類別の人気ランクを取得することができるので、店舗においてＣＯ２排出量の削減努力の管理が可能となる。
【００９７】
〔実施形態２〕
次に、本発明の実施形態２について説明する。
実施形態２における売上データ処理システム１００及びこれを構成する各装置の構成は、実施形態１と略同様であるが、ＲＡＭ１３の構成及び記憶部１４にレシート印刷処理プログラム１４ｋ（図示略）が記憶されている点が異なる。
図１７に、ＲＡＭ１３の構成例を示す。図１７に示すように、ＲＡＭ１３は、ＰＬＵエリア１３ａ、総合計カウンタエリア１３ｂ、ＣＯ２合計カウンタエリア１３ｃ、お奨めエコ商品テーブル格納エリア１３ｄ、ワークエリア１３ｋ等を有している。
実施形態２における売上データ処理システム１００及びこれを構成する各装置のその他の構成は、実施形態１と同様であるので説明を省略し、以下、実施形態２の動作について説明する。
【００９８】
（レシート印刷処理Ｂ）
実施形態２における売上データ処理装置１及びサーバ装置２の動作は、売上データ処理装置１におけるレシート印刷処理の内容が実施形態１と異なる。
図１８Ａ〜図１８Ｂは、実施形態２において売上データ処理装置１において実行されるレシート印刷処理Ｂを示すフローチャートである。レシート印刷処理Ｂは、ＣＰＵ１０と記憶部１４に記憶されているレシート印刷処理プログラム１４ｋとの協働により実行される。
【００９９】
ここで、図１８Ａに示すステップＳ１０１〜ステップＳ１０８の処理は、図９ＡのステップＳ１〜Ｓ８の処理と同様であるので説明を省略し、ステップＳ１０９以降の処理について説明する。
【０１００】
ステップＳ１０９においては、ステップＳ１０３で検索されたレコードの「ＣＯ２ランク」及び「人気ランク」が抽出され、印刷部１６によりレシート用紙に印刷される（ステップＳ１０９）。
【０１０１】
次いで、抽出された「ＣＯ２ランク」の値＝１であるか否かが判断され（ステップＳ１１０）、「ＣＯ２ランク」の値＝１ではないと判断されると（ステップＳ１１０；ＮＯ）、ＰＬＵエリア１３ａに読み出されたＰＬＵファイル１４ｇにおいて、ステップＳ１０３で検索されたレコードと「商品分類」が同一であって「ＣＯ２ランク」の値＝１のレコードが抽出される（ステップＳ１１１）。そして、抽出されたレコードの「品名」、「ＣＯ２ランク」、「単品ＣＯ２量」、「人気ランク」が抽出され、お奨めエコ商品テーブル格納エリア１３ｄのお奨めエコ商品テーブルに格納され（ステップＳ１１２）、処理はステップＳ１１３に移行する。図１９に、お奨めエコ商品テーブル格納エリア１３ｄに格納されたお奨めエコ商品テーブルの一例を示す。
【０１０２】
一方、ステップＳ１０３で検索されたレコードの「ＣＯ２ランク」の値＝１であると判断されると（ステップＳ１１０；ＹＥＳ）、処理はステップＳ１１３に移行する。
【０１０３】
ステップＳ１１３においては、ステップＳ１０３で抽出されたレコードの「単品ＣＯ２量」が抽出され、印刷部１６によりレシート用紙に印刷される。また、今回の売上ＣＯ２量（単品ＣＯ２量×売上個数）が算出され、印刷部１６によりレシート用紙に印刷される（ステップＳ１１４）。算出された売上ＣＯ２量は、ＣＯ２合計カウンタエリア１３ｃに加算されるとともに、ＰＬＵエリア１３ａに読み出されているＰＬＵファイル１４ｇの、ステップＳ１０３で検索されたレコードの「売上ＣＯ２量」に加算される（ステップＳ１１５）。
【０１０４】
次いで、入力部１１の小計キーが押下されたか否かが判断され、押下されていないと判断されると（ステップＳ１１６；ＮＯ）、処理はステップＳ１０１に戻り、次の購入商品についての売上登録が行われる。
【０１０５】
一方、入力部１１の小計キーが押下されたと判断されると（ステップＳ１１６；ＹＥＳ）、総合計欄の見出し及び総合計カウンタエリア１３ｂに格納されている内容が、印刷部１６によりレシート用紙上に印刷される（ステップＳ１１７）。また、ＣＯ２合計欄の見出し及びＣＯ２合計カウンタエリア１３ｃの内容が印刷部１６によりレシート上に印刷される（ステップＳ１１８）。更に、「お奨めエコ商品」の見出し及びお奨めエコ商品テーブルの内容が印刷部１６によりレシート上に印刷されるとともに、表示部１２に表示される（ステップＳ１１９）。
【０１０６】
次いで、ステップＳ１２０〜Ｓ１２３の処理が実行される。ステップＳ１２０〜Ｓ１２３の処理は、図９ＢのステップＳ１５〜Ｓ１８と同様であるので説明を省略する。
【０１０７】
ステップＳ１２４においては、記憶部１４に記憶されている設定データ１４ｊが参照され、音声出力を行う設定がなされているか否かが判断される。音声出力を行う設定がなされていると判断されると（ステップＳ１２４；ＹＥＳ）、お奨めエコ商品の情報（お奨めエコテーブルに格納されている商品の情報）を音声出力するための音声データが作成され（ステップＳ１２５）、お奨めエコ商品の情報が音声出力部１０１により音声出力される（ステップＳ１２６）。そして、処理はステップＳ１２７に移行する。一方、音声出力を行う設定がなされていないと判断されると（ステップＳ１２４；ＮＯ）、処理はステップＳ１２７に移行する。
【０１０８】
ステップＳ１２７においては、総合計カウンタエリア１３ｂ、ＣＯ２合計カウンタエリア１３ｃ、及びお奨めエコ商品テーブル格納エリア１３ｄがクリアされる（ステップＳ１２７）。また、ＰＬＵエリア１３ａ内のＰＬＵファイル１４ｇにより記憶部１４のＰＬＵファイル１４ｇが更新され（ステップＳ１２８）、レシート印刷処理Ｂは終了する。
【０１０９】
図２０は、上述のレシート印刷処理Ｂにおいて印刷されるレシートＲ２の一例を示す図である。図２０に示すように、レシートＲ２には、顧客が購入した（売上登録された）各商品のＣＯ２ランク、人気ランク、ＣＯ２排出量（単品のＣＯ２排出量及び購入個数分のＣＯ２排出量）が印刷されている（図２０のＤ３）。また、顧客が今回購入した全商品のＣＯ２排出量の合計（図２０のＤ２）が印刷されている。更に、レシートＲ２の下部には、今回購入した商品のＣＯ２ランクが同一商品分類においてＮＯ．１ではない場合に、ＣＯ２ランクがＮＯ．１の商品がお奨めエコ商品として印刷されている（図２０のＤ４）。このように、顧客が購入した商品と同一の商品分類で、ＣＯ２ランクのより高い、即ち、ＣＯ２排出量がより少ない商品の情報をお奨めエコ商品として顧客に案内するので、消費者である顧客は、ＣＯ２排出量の少ない商品を容易に把握することが可能となり、消費者がより地球環境に良い商品選択を行うことを支援することができる。また、購入した商品及びお奨めエコ商品のＣＯ２ランク等と併せて人気ランクを提示することで、消費者の、より良いものを購入しようという意識の向上を図ることができる。
【０１１０】
なお、実施形態２においても実施形態１と同様に、一日の業務終了時に売上データ処理装置１において売上データ集計処理が実行される。又は、売上データ転送処理によって売上データがサーバ装置２に送信され、サーバ装置２において売上データ登録処理が実行されることによって集計された売上日次集計ファイル及び売上月次集計ファイルが売上データ処理装置１に登録される。
【０１１１】
〔実施形態３〕
次に、本発明の実施形態３について説明する。
実施形態３における売上データ処理システム１００及びこれを構成する各装置の構成は、実施形態１と略同様であるが、ＲＡＭ１３の構成及び記憶部１４にレシート印刷処理プログラム１４ｌ（図示略）が記憶されている点が異なる。
図２１に、ＲＡＭ１３の構成例を示す。図２１に示すように、ＲＡＭ１３は、ＰＬＵエリア１３ａ、総合計カウンタエリア１３ｂ、ＣＯ２合計カウンタエリア１３ｃ、お奨めエコ商品テーブル格納エリア１３ｄ、品数カウンタエリア１３ｅ、エコカウンタエリア１３ｆ、エコクーポン率エリア１３ｇ、ワークエリア１３ｋ等を有している。エコクーポン率エリア１３ｇには、記憶部１４の設定データ１４ｊのエコクーポン率が格納される。
実施形態３における売上データ処理システム１００及びこれを構成する各装置のその他の構成は、実施形態１と同様であるので説明を省略し、以下、実施形態３の動作について説明する。
【０１１２】
（レシート印刷処理Ｃ）
実施形態３における売上データ処理装置及びサーバ装置２の動作は、レシート印刷処理の内容が実施形態１、２と異なる。
図２２Ａ〜図２２Ｂは、実施形態３において売上データ処理装置１において実行されるレシート印刷処理Ｃを示すフローチャートである。レシート印刷処理Ｃは、ＣＰＵ１０と記憶部１４に記憶されているレシート印刷処理プログラム１４ｌとの協働により実行される。
【０１１３】
図２２Ａ〜図２２Ｂに示すステップＳ２０１〜ステップＳ２２０の処理は、図１８Ａ〜図１８ＢのステップＳ１０１〜Ｓ１１８の処理に、２つの処理ステップ（ステップＳ２０８及びステップＳ２１４）が追加されたものとなっている。具体的には、図１８Ａに示すステップＳ１０７に対応する処理であるステップＳ２０７の後、品数カウンタエリア１３ｅに格納されている品数カウンタの値が１インクリメントされる（ステップＳ２０８）。即ち、顧客の購入商品の品数がカウントされる。また、図１８Ａに示すステップＳ１１０に対応するステップＳ２１１で、「ＣＯ２ランク」の値＝１であると判断された場合、エコカウンタエリア１３ｆのエコカウンタの値が１インクリメントされる（ステップＳ２１４）。即ち、顧客が同じ商品分類に属する商品のうち、ＣＯ２ランクが１位の商品を購入した場合、エコカウンタが１インクリメントされる。ステップＳ２０１〜ステップＳ２２０のその他の処理は、図１８ＡのステップＳ１０１〜Ｓ１１８と同様の処理であるので説明を省略し、ステップＳ２２１以降の処理について説明する。
【０１１４】
ステップＳ２２１においては、「お奨めエコ商品」の見出し及びお奨めエコテーブルの内容が印刷部１６によりレシート用紙に印刷されるとともに、表示部１２に表示される（ステップＳ２２１）。
【０１１５】
次いで、品数カウンタの値＝エコカウンタの値であるか否かが判断される（ステップＳ２２２）。品数カウンタの値＝エコカウンタの値であると判断されると（ステップＳ２２２；ＹＥＳ）、「エコクーポン」の見出し文字が印刷部１６によりレシート用紙に印刷され、次いで、総合計カウンタエリア１３ｂに格納されている売上登録された商品の合計金額（顧客の購入合計金額）に応じた金額のクーポン（エコクーポン）が印刷部１６によりレシート用紙に印刷される（ステップＳ２２３）。具体的には、総合計カウンタエリア１３ｂに格納されている売上登録された商品の合計金額にエコクーポン率エリア１３ｇに格納されているエコクーポン率が乗算され、「総合計金額×エコクーポン率」の金額のエコクーポンがレシート用紙に印刷される。そして、品数カウンタエリア１３ｅ及びエコカウンタエリア１３ｆのデータがクリアされ（ステップＳ２２４）、処理は図２２ＢのステップＳ２２５に移行する。
なお、クーポンは、レシート用紙に印刷することに限らず、非接触型リーダライタ１９ｂにより顧客の携帯端末に送信する構成としてもよい。
【０１１６】
一方、品数カウンタの値＝エコカウンタの値ではないと判断されると（ステップＳ２２２；ＮＯ）、品数カウンタエリア１３ｅ及びエコカウンタエリア１３ｆのデータがクリアされ（ステップＳ２２４）、処理は図２２ＢのステップＳ２２５に移行する。
【０１１７】
ステップＳ２２５以降の処理は、図１８Ｂに示すステップＳ１２０以降の処理と同様であるので、説明を省略する。
【０１１８】
図２３は、上述のレシート印刷処理Ｃにおいて印刷されるレシートＲ３の一例を示す図である。図２３に示すように、レシートＲ３には、顧客が購入した商品毎のＣＯ２ランク、人気ランク、ＣＯ２排出量（単品のＣＯ２排出量及び購入個数分のＣＯ２排出量）が印刷されている（図２３のＤ３）。また、顧客が今回購入した商品全体のＣＯ２排出量（図２３のＤ２）が印刷されている。更に、顧客が今回購入した全ての商品がＣＯ２ランク１位のものである場合、今回の購入合計金額に応じたクーポン（エコクーポン）が印刷される（図２３のＤ５）。このように、顧客が今回購入した全ての商品のＣＯ２ランクが１位である場合、今回の購入合計金額に応じたエコクーポンを還元するので、顧客がＣＯ２排出量の少ない商品を購入することを促進することができ、ＣＯ２排出量の削減を促進することが可能となる。また、店舗はリピート顧客を獲得することが可能となる。
なお、顧客が今回購入した商品に、ＣＯ２ランクが１位のものではないものが存在する場合、ＣＯ２ランクが１位の商品がお奨めエコ商品としてレシートに印刷される。
【０１１９】
なお、実施形態３においても実施形態１と同様に、一日の業務終了時に売上データ処理装置１において売上データ集計処理が実行される。又は、売上データ転送処理によって売上データがサーバ装置２に送信され、サーバ装置２において売上データ登録処理が実行されることによって集計された売上日次集計ファイル及び売上月次集計ファイルが売上データ処理装置１に登録される。
【０１２０】
〔実施形態４〕
次に、本発明の実施形態４について説明する。
実施形態４における売上データ処理システム１００及びこれを構成する各装置の構成は、実施形態１〜３と略同様であるが、ＲＡＭ１３の構成及び記憶部１４にレシート印刷処理プログラム１４ｍ（図示略）が記憶されている点が異なる。
【０１２１】
図２４に、ＲＡＭ１３の構成例を示す。図２４に示すように、ＲＡＭ１３は、ＰＬＵエリア１３ａ、総合計カウンタエリア１３ｂ、ＣＯ２合計カウンタエリア１３ｃ、お奨めエコ商品テーブル格納エリア１３ｄ、品数カウンタエリア１３ｅ、エコカウンタエリア１３ｆ、今回ポイントエリア１３ｈ、累計ポイントエリア１３ｉ、ＣＯ２ポイント率エリア１３ｊ、ワークエリア１３ｋ等を有している。ＣＯ２ポイント率エリア１３ｊには、記憶部１４の設定データ１４ｊのＣＯ２ポイント率が格納される。
実施形態４における売上データ処理システム１００及びこれを構成する各装置のその他の構成は、実施形態１〜３と同様であるので説明を省略し、以下、実施形態４の動作について説明する。
【０１２２】
（レシート印刷処理Ｄ）
実施形態４における売上データ処理装置及びサーバ装置２の動作は、レシート印刷処理の内容が実施形態１〜３と異なる。
図２５Ａ〜図２５Ｂは、実施形態４において売上データ処理装置１において実行されるレシート印刷処理Ｄを示すフローチャートである。レシート印刷処理Ｄは、ＣＰＵ１０と記憶部１４に記憶されているレシート印刷処理プログラム１４ｍとの協働により実行される。
【０１２３】
図２５Ａ〜図２５Ｂに示すステップＳ３０１〜ステップＳ３２０の処理は、図２２Ａ〜図２２Ｂに示すステップＳ２０１〜Ｓ２２０と同様の処理であるので説明を省略し、ステップＳ３２１以降の処理について説明する。
【０１２４】
ステップＳ３２１においては、総合計カウンタエリア１３ｂに格納されている売上登録された合計金額（顧客の購入合計金額）に応じた今回ポイントが算出され、算出された今回ポイントが今回ポイントエリア１３ｈにセットされる（ステップＳ３２１）。また、印刷部１６により今回ポイントがレシート用紙に印刷される（ステップＳ３２２）。
【０１２５】
次いで、「お奨めエコ商品」の見出し及びお奨めエコ商品テーブル格納エリア１３ｄに格納されているお奨めエコ商品テーブルの内容が印刷部１６によりレシート用紙に印刷されるとともに、表示部１２に表示される（ステップＳ３２３）。
【０１２６】
次いで、品数カウンタの値＝エコカウンタの値であるか否かが判断される（ステップＳ３２４）。品数カウンタの値＝エコカウンタの値であると判断されると（ステップＳ３２４；ＹＥＳ）、今回ポイントの値にＣＯ２ポイント率エリア１３ｊに格納されているＣＯ２ポイント率が乗算され、今回ポイントエリアにセットされる（ステップＳ３２５）。そして、印刷部１６によりレシート用紙にＣＯ２ポイント欄が印刷され、今回ポイントエリアの内容がＣＯ２ポイントとしてレシート用紙に印刷され（ステップＳ３２６）、処理はステップＳ３２７に移行する。品数カウンタの値＝エコカウンタの値ではないと判断されると（ステップＳ３２４；ＮＯ）、処理はステップＳ３２７に移行する。
【０１２７】
ステップＳ３２７においては、カードリーダライタ１９によりポイントカードＣが検出されたか否かが判断される。カードリーダライタ１９によりポイントカードＣが検出されたと判断されると（ステップＳ３２７；ＹＥＳ）、ポイントカードＣから累計ポイントが読み取られる（ステップＳ３２８）。次いで、今回ポイントエリア１３ｈの値が累計ポイントに加算される（ステップＳ３２９）。そして、カードリーダライタ１９により累計ポイントがポイントカードＣに書き込まれ（ステップＳ３３０）、印刷部１６により累計ポイントがレシート用紙に印刷され（ステップＳ３３１）、処理はステップＳ３３２に移行する。一方、カードリーダライタ１９によりポイントカードＣが検出されていないと判断されると（ステップＳ３２７；ＮＯ）、処理はステップＳ３３２に移行する。
【０１２８】
ステップＳ３３２以降の処理は、図２２Ｂに示すステップＳ２２９以降の処理と同様であるので、説明を省略する。
【０１２９】
図２６は、上述のレシート印刷処理Ｄにおいて印刷されるレシートＲ４の一例を示す図である。図２６に示すように、レシートＲ４には、顧客が購入した各商品のＣＯ２ランク、人気ランク、ＣＯ２排出量（単品のＣＯ２排出量及び購入個数分のＣＯ２排出量）が印刷されている（図２６のＤ３）。また、顧客が今回購入した全商品のＣＯ２排出量の合計（図２６のＤ２）が印刷されている。更に、顧客が今回購入した全ての商品のＣＯ２ランクが１位である場合、今回の購入合計金額に応じたＣＯ２ポイントが印刷される（図２６のＤ６）。このように、顧客が今回購入した全ての商品がＣＯ２ランク１位のものである場合、今回の購入金額の合計に応じたＣＯ２ポイントを還元するので、顧客がＣＯ２排出量の少ない商品を購入することを促進することができ、ＣＯ２排出量の削減を促進することが可能となる。また、店舗はリピート顧客を獲得することが可能となる。
なお、顧客が今回購入した商品に、ＣＯ２ランク１位のものではないものが存在する場合、ＣＯ２ランク１位の商品がお奨め商品としてレシートに印刷される。
【０１３０】
なお、実施形態４においても実施形態１と同様に、一日の業務終了時に売上データ処理装置１において売上データ集計処理が実行される。又は、売上データ転送処理によって売上データがサーバ装置２に送信され、サーバ装置２において売上データ登録処理が実行されることによって集計された売上日次集計ファイル及び売上月次集計ファイルが売上データ処理装置１に登録される。
【０１３１】
以上説明したように、売上データ処理装置１によれば、記憶部１４のＰＬＵファイル１４ｇには、商品毎に、ＣＯ２排出量及び同一商品分類の商品群におけるＣＯ２排出量の少ない順位を示すＣＯ２ランクが記憶されており、ＣＰＵ１０は、売上登録された商品と同一商品分類であって、売上登録された商品よりＣＯ２ランクの高い商品の情報をＰＬＵファイル１４ｇから抽出し、抽出された商品の情報をお奨めエコ商品として出力する。
【０１３２】
従って、顧客が購入した商品と同一の商品分類で、ＣＯ２ランクのより高い、即ち、ＣＯ２排出量がより少ない商品の情報をお奨めエコ商品として顧客に提供するので、消費者である顧客は、ＣＯ２排出量の少ない商品を容易に把握することが可能となり、顧客がより地球環境に良い商品選択を行うことを促進することができる。
【０１３３】
お奨めエコ商品の情報は、印刷部１６、表示部１２又は音声出力部１０１から出力できるので、顧客はお奨めエコ商品を印刷物、表示部１２における表示、又は音声により、容易に把握することが可能となる。
【０１３４】
また、売上登録された各商品、即ち、顧客が購入した商品のＣＯ２排出量及びＣＯ２ランクをレシート用紙に印刷するので、顧客は自分が購入した各商品のＣＯ２排出量がどのくらいであるか、及びその商品が同一商品分類の中で地球に良いものであるのかを容易に認識することが可能となる。
【０１３５】
また、売上登録された全商品のＣＯ２排出量の合計を算出し、レシート用紙に印刷するので、顧客は自分が今回購入した全商品のＣＯ２排出量の合計がどのくらいであるかを容易に認識することが可能となる。
【０１３６】
また、売上登録された各商品及びお奨めエコ商品の人気ランクをレシート用紙に印刷するので、顧客の、より良いものを購入しようという意識の向上を図ることができる。
【０１３７】
また、売上登録された全商品のＣＯ２ランクが予め定められた基準を満たす場合は、売上登録された商品の合計金額、即ち顧客の購入合計金額に応じたクーポンをレシート用紙に印刷するので、顧客のＣＯ２排出量のより少ない商品の購入を促進することができる。また、店舗にとっては、リピート顧客を獲得することが可能となる。
【０１３８】
或いは、売上登録された全商品のＣＯ２ランクが予め定められた基準を満たす場合は、売上登録された商品の合計金額、即ち顧客の購入合計金額に応じたクーポンを顧客の携帯端末に送信するので、顧客のＣＯ２排出量のより少ない商品の購入を促進することができる。また、店舗にとっては、リピート顧客を獲得することが可能となる。
【０１３９】
或いは、売上登録された全商品のＣＯ２ランクが予め定められた基準を満たす場合は、売上登録された商品の合計金額、即ち顧客の購入合計金額に応じたポイント（ＣＯ２ポイント）をポイントカードに書き込むので、顧客のＣＯ２排出量のより少ない商品の購入を促進することができる。また、店舗にとっては、リピート顧客を獲得することが可能となる。
【０１４０】
また、店舗の全商品の日次又は月次の売上に対するＣＯ２排出量を集計し、売上日次集計ファイル、売上月次集計ファイルに記憶するので、店舗においてＣＯ２排出量の削減努力の管理が可能となる。
【０１４１】
また、ＣＯ２排出量を商品毎に集計し、売上日次集計ファイル、売上月次集計ファイルに記憶するので、店舗において各商品の売上に対するＣＯ２排出量の管理が可能となる。
【０１４２】
なお、上記実施形態における記述内容は、本発明に係る売上データ処理システム１００の好適な一例であり、これに限定されるものではない。
例えば、上記実施形態においては、ＣＯ２ランクが１位の商品をお奨めエコ商品としてレシート用紙等に出力することとしたが、お奨めエコ商品は、顧客が購入した商品（即ち、売上登録された商品）と同一商品分類であって顧客が購入した商品よりＣＯ２ランクの高い商品であればよく、ＣＯ２ランクが１位のものに限定されない。例えば、顧客が購入した商品と同一商品分類であって購入した商品よりＣＯ２ランクの高い商品の全てをお奨めエコ商品として出力してもよいし、ＣＯ２ランクが所定の順位までの商品をお奨めエコ商品として出力してもよい。
【０１４３】
また、上記実施形態においては、顧客が購入した全ての商品のＣＯ２ランクが全て１位の場合にエコクーポンやＣＯ２ポイントを付与することとしたが、エコクーポンやＣＯ２ポイントを付与する基準は、これに限定されない。例えば、顧客が購入した全ての商品のＣＯ２ランクが所定の順位以内である場合にエコクーポンやＣＯ２ポイントを付与することとしてもよい。
【０１４４】
その他、売上データ処理システム１００を構成する各装置の細部構成及び細部動作に関しても、発明の趣旨を逸脱することのない範囲で適宜変更可能である。
【符号の説明】
【０１４５】
１００  売上データ処理システム  
１  売上データ処理装置
１０  ＣＰＵ
１１  入力部
１２  表示部
１３  ＲＡＭ
１３ａ  ＰＬＵエリア
１３ｂ  総合計カウンタエリア
１３ｃ  ＣＯ２合計カウンタエリア
１３ｄ  お奨めエコ商品テーブル格納エリア
１３ｅ  品数カウンタエリア
１３ｆ  エコカウンタエリア
１３ｇ  エコクーポン率エリア
１３ｈ  今回ポイントエリア
１３ｉ  累計ポイントエリア
１３ｊ  ＣＯ２ポイント率エリア
１４  記憶部
１４ａ  レジＯＳ
１４ｂ  レシート印刷処理プログラム
１４ｃ  売上データ集計処理プログラム
１４ｄ  売上データ転送処理プログラム
１４ｅ  月次集計結果登録処理プログラム
１４ｆ  日次集計結果登録処理プログラム
１４ｇ  ＰＬＵファイル
１４ｈ  売上日次集計ファイル
１４ｉ  売上月次集計ファイル
１４ｊ  設定データ
１５  通信部
１６  印刷部
１７  ドロア
１８  スキャナ部
１９  カードリーダライタ
１０１  音声出力部
１０２  バス
２  サーバ装置
２０  ＣＰＵ
２１  入力部
２２  表示部
２３  ＲＡＭ
２４  記憶部
２４ａ  サーバＯＳ
２４ｂ  売上データ集計処理プログラム
２４ｃ  売上データ登録処理プログラム
２４ｄ  月次集計結果送信処理プログラム
２４ｅ  日次集計結果送信処理プログラム
２４ｆ  売上日次集計ファイル
２４ｇ  売上月次集計ファイル
２５  通信部
２６  バス
【図１】
2011048715.tif 000003
【図２】
2011048715.tif 000004
【図３】
2011048715.tif 000005
【図４】
2011048715.tif 000006
【図５】
2011048715.tif 000007
【図６】
2011048715.tif 000008
【図７】
2011048715.tif 000009
【図８】
2011048715.tif 000010
【図９Ａ】
2011048715.tif 000011
【図９Ｂ】
2011048715.tif 000012
【図１０】
2011048715.tif 000013
【図１１】
2011048715.tif 000014
【図１２】
2011048715.tif 000015
【図１３】
2011048715.tif 000016
【図１４】
2011048715.tif 000017
【図１５】
2011048715.tif 000018
【図１６】
2011048715.tif 000019
【図１７】
2011048715.tif 000020
【図１８Ａ】
2011048715.tif 000021
【図１８Ｂ】
2011048715.tif 000022
【図１９】
2011048715.tif 000023
【図２０】
2011048715.tif 000024
【図２１】
2011048715.tif 000025
【図２２Ａ】
2011048715.tif 000026
【図２２Ｂ】
2011048715.tif 000027
【図２３】
2011048715.tif 000028
【図２４】
2011048715.tif 000029
【図２５Ａ】
2011048715.tif 000030
【図２５Ｂ】
2011048715.tif 000031
【図２６】
2011048715.tif 000032
【図２７】
2011048715.tif 000033